(57)【要約】【課題】ベビーカーを用いて乳幼児と外出する際に、乳幼児が退屈で暴れたり、不快感を覚えて泣き出すという課題があった。【解決手段】本願発明のベビーカーは、映像又は音楽を再生する再生部と、再生部に電力を供給する電力供給部と、再生部で再生する映像又は音楽を選択及び決定する選択決定部と、を具備するベビーカーとする。選択決定部はベビーカーを移動させる保護者が移動中も映像や音楽を変更できるようにベビーカーのハンドル近辺に備え付けられる。映像を表示する表示パネルは、着席した状態で乳幼児が見ることができる場所に配置する。【選択図】図１
2008308053.tif 000002
【特許請求の範囲】
【請求項１】
映像又は音楽を再生する再生部と、
前記再生部に電力を供給する電力供給部と、
前記再生部で再生する映像又は音楽を選択及び決定する選択決定部と、
を具備するベビーカー。
【請求項２】
座席部上方に帽部を具備するベビーカーであって、
帽部の内側に配置された画像表示装置と、
画像表示装置に電力を供給するバッテリーと、
画像表示装置で表示する画像を操作する操作装置と、
を具備するベビーカー。
【請求項３】
前記操作装置は、ベビーカーのハンドルに取り付けられる請求項２に記載のベビーカー。
【請求項４】
記録媒体から音楽コンテンツを読み込む読み込み手段と、
前記記録媒体から読み込む音楽コンテンツを選択する選択手段と、
選択された音楽コンテンツを再生する再生手段と、
を具備するベビーカー。
【請求項５】
前記再生手段は、デジタル形式で記録された音楽コンテンツをアナログ形式の音声信号に変換する処理部と、
座席部に取り付けられた前記音声信号を音波に変換するスピーカーと、
から構成される請求項４に記載のベビーカー。
【請求項６】
ベビーカー本体の移動操作を行うハンドルと、乳幼児を着席させる座席部と、日除け又は雨除けに用いられる帽部を具備するベビーカーであって、
前記帽部の内側に取り付けられた画像表示装置と、
座席部に取り付けられたスピーカーと、
前記画像表示装置及びスピーカーで再生する映像及び音楽を選択及び決定する操作を行う前記ハンドルに取り付けられた操作装置と、
を具備するベビーカー。
【請求項７】
乳幼児を着席させた状態で保護者が移動操作を行うベビーカーであって、
着席時に乳幼児が映像を観賞する第１の画像表示手段と、
移動操作時に保護者が映像を確認する第２の画像表示手段と、
前記１の画像表示手段と前記第２の画像表示手段に電力を供給する電力供給手段と、
を具備するベビーカー。
【請求項８】
前記第１の画像表示手段及び前記第２の画像表示手段で表示する映像を選択及び決定する選択決定手段をさらに具備する請求項７に記載のベビーカー。
【請求項９】
前記第１の画像表示手段及び前記第２の画像表示手段に同一の映像を再生する再生手段をさらに具備する請求項７に記載のベビーカー。
【請求項１０】
着席時の乳幼児が音楽を鑑賞する第１の音楽再生手段と、
移動操作時に保護者が音楽を確認する第２の音楽再生手段と、
をさらに具備する請求項７に記載のベビーカー。
【発明の詳細な説明】
【技術分野】
【０００１】
本発明は、音楽や動画といったコンテンツを再生する再生装置を備えたベビーカーに関する。
【背景技術】
【０００２】
乳幼児を連れて外出する際などにはベビーカーが多く用いられる。座席に乳幼児を座らせた状態で移動することにより、親子共に外出時の負担を軽減することができる。
【０００３】
ここで乳幼児が少しでも快適に座っていられるように様々な工夫が検討されている。特許文献１には、座席の一部に弾性部材を用いることで座席のしわや折れ曲がりを防ぎ、座席の快適性を一定に保たせる効果を有する発明が開示されている。
【特許文献１】特開２００４−２１６９９８号公報
【発明の開示】
【発明が解決しようとする課題】
【０００４】
しかしながら、乳幼児にとって長時間座席に固定されての外出は依然として不快なイベントであることも多い。通常、外出は親の意思により行われる。すなわち、親が家事等の都合で外出時間や外出場所を設定し、買い物や食事等に子供を連れ出すことになる。２歳児くらいまでの子供はまだ言葉をうまく使いこなせず、親とのコミュニケーションを適切にとることができないため、子供の体調を適格に把握していない状態で負担のかかる外出を行うことは、外出中に子供の気分や機嫌が悪くなって泣き止まないなどの問題にも繋がる。外出中では、周囲の迷惑を考えてできるだけ早く泣き止ませる必要があり、これは親にとっても大きなストレスに繋がる。
【０００５】
従来技術によれば、座席自体の改善を図ることで快適性を一部向上させてはいるものの、何時間も座席に固定されて連れまわされることは、静かな家の中で自由に動き回れる状況からすれば未だ不快な状況であると思われる。
【０００６】
このように従来のベビーカーの改善に対するアプローチは、ベビーカーにおける不快な要素を取り除く方向で検討されており、このようなアプローチは受動的である。すなわち、上記課題改善の姿勢における最終目的地点は不快ではないベビーカーの製造と言うことになり、そこから一歩踏み込んで、ベビーカーを子供にとって積極的に乗りたいと思える乗り物にするという地点を目的としたアプローチではなかった。
【０００７】
本願発明は上記従来の課題を鑑み、子供が自ら乗りたいと思えるベビーカーを提供することを目的とする。
【課題を解決するための手段】
【０００８】
本願発明のベビーカーは、映像又は音楽を再生する再生部と、再生部に電力を供給する電力供給部と、再生部で再生する映像又は音楽を選択及び決定する選択決定部と、を具備する。
【発明の効果】
【０００９】
本願発明によれば、ベビーカーに乗りながら映像や音楽といったコンテンツを楽しむことができるため、座席に固定されるベビーカーであっても、乳幼児自らが乗りたいと思えるベビーカーを提供することが可能となる。
【発明を実施するための最良の形態】
【００１０】
以下、本発明の実施の形態について、図面を参照して詳細に説明する。
【００１１】
（実施の形態１）
図１は、本願第１の実施の形態に係わるベビーカー１００の斜視図である。
【００１２】
連結バー１、２で繋がれた左右一対の前脚３及び後脚４の先端にそれぞれ前輪５及び後輪６が取り付けられている。前脚及び後脚の中間には連結部材７が取り付けられ、連結部材同士を繋いだ連結バーの上部に座席部８が固定されている。座席部は、座面と背もたれで主に構成され、クッション性に優れた部材が用いられている。
【００１３】
座席部の両側にはアームレスト９が備え付けられ、両側のアームレストを繋ぐように座席前方に取り付けられたガード部材１０及び座席部に取り付けられたシートベルト１１によって乳幼児が座席部から転落することを防止している。
【００１４】
背パイプ１２は、ブラケット１３を介して後脚４と接続されており、アームレストや帽部１４とも接続されている。また、背パイプの先端には、逆Ｕ字型のハンドル１５が伸縮可能な状態で取り付けられている。
【００１５】
次に、側面図である図２、図３及び背面図である図４を援用しながら本願発明部分について詳細に説明する。
【００１６】
帽部１４の内側に、動画等の映像を映し出す画像表示装置５０が備え付けられている。帽部１４は主に日除けや雨除けに用いられる覆いとして、背パイプ１２に枢着されており、枢軸１６を軸として回動可能な状態となっている。また、帽部１４は独立に回動できる複数の帽部用のフレームと、フレーム間に張られた布やビニール等のシートによって構成されており、不使用時は、図２のように帽部を後方に引き戻して、一部を折畳むことができる。一方、使用時は、図３のように前方に引き出すことで帽部を展開し、座席部８に座った乳幼児の正面に画像表示装置５０が来るようにする。ここで、乳幼児の大きさに合わせて画像表示装置の高さを調整できるように、帽部の枢着部分は背パイプ１２に沿って上下にスライド可能な構成となっている。
【００１７】
画像表示装置５０には図示せぬ電源線、信号線、制御線等と繋がれており、信号線を通じて送られてきた映像を表示する。
【００１８】
座席部８には、スピーカー６０が備え付けられている。座席部に座った時に邪魔にならないよう、スピーカーは座席部の両サイド部分に取り付けられている。ここでスピーカーは座席部に埋め込まれていてもよいし、表面にむき出しの状態で配置されていてもよい。
【００１９】
ハンドル部１５の中央には、操作装置７０が取り付けられており、保護者は操作装置に取り付けられた入力ボタンを通じて画像表示装置５０に表示させる映像やスピーカー６０で再生する音楽を設定する。
【００２０】
座席部８の裏側には、バッテリー８０が備え付けられ、その隣にはバッテリーに外部から電力を供給するための端子として、電源ジャック８１が備え付けられている。バッテリーと電源ジャックは電気的に接続されており、別途電源コードを用いて電源ジャックを通じて外部から給電することでバッテリーを充電できる構成になっている。バッテリーは、電源線を通じて、画像表示装置５０及び操作装置６０に電力を供給する。
【００２１】
次に、操作装置７０について詳しく説明する。図５は操作装置周辺の概略図である。操作装置上面には、小型の画像表示部７１が備え付けられており、画像表示装置５０で再生する映像と同一の映像を映すことができる。また、操作部７２として、操作装置７０及び画像表示装置５０の電源のＯＮ／ＯＦＦを行う電源ボタン７３、スピーカー６０の音量を調節する音量ボタン７４、画像表示装置で再生する動画やスピーカーで再生する音楽の選択・決定を行う選択決定ボタン７５等が入力インターフェースとして備え付けられている。また、ベビーカー移動時は、画像表示部で映像を表示させる必要はないことが多いため、電力削減のために、画像表示部の電源をＯＮ／ＯＦＦする切り替えボタン７６も備え付けられている。
【００２２】
操作装置７０の側面には、フラッシュメモリー等の記録媒体をセットするためのカードスロット７７及びイジェクトボタン７８が備え付けられている。また、スピーカーから流れる音楽を確認できるようにヘッドフォン用の出力端子７９が備え付けられている。
【００２３】
操作装置７０の内部には図示せぬ処理部が備え付けられており、入力インターフェースを通じて行われるユーザの操作に基づいてカードスロットから映像コンテンツ又は音楽コンテンツを読み込み処理、再生処理等を行う。
【００２４】
操作装置７０で処理された映像信号や音声信号は、中空になったハンドル１５の内部に通したケーブルによって画像表示装置及びスピーカーにそれぞれ出力される。また、バッテリーから電力を受け取る電源線も同様にハンドル内部を通って操作装置に接続される。
【００２５】
図６にそれぞれの装置の関係を表したブロック図を示す。ベビーカー１００には、画像表示装置５０、スピーカー６０、操作装置７０及びバッテリー８０が備え付けられている。
【００２６】
バッテリー８０に蓄えられた電力は、画像表示装置５０及び操作装置７０に供給される。操作装置内に配置された処理部は、操作部を通じてユーザから行われた選択や決定等の指示に基づいて、記録媒体からコンテンツを読み込む。映像コンテンツには、動き補償処理等を行い、音楽コンテンツにはコーデック処理等を行い、それぞれ映像信号及び音声信号を生成する。記録媒体にデジタル形式で記録された音楽コンテンツのデータは、処理部によってアナログ形式の音声信号に変換され、音声信号はスピーカー６０及び出力端子にそれぞれ出力される。スピーカーは、音声信号を音波に変換して出力する。映像信号は、画像表示装置及び画像表示部へそれぞれ出力されて映像が表示される。ここで、画像表示装置及びスピーカーと、画像表示部及び出力端子とは、それぞれ乳幼児の観賞用及び保護者の確認用に設けられたものである。画像表示装置及びスピーカーは、座席部、帽部といった、乳幼児が着席時に鑑賞可能である場所に配置され、画像表示部及び出力端子は、ハンドルや座席背面、左右の背パイプを結ぶ連結パイプといった、保護者がベビーカーを移動させている時でも確認可能な場所に配置されていることが望ましい。このように二対の画像表示手段及び音声再生手段を、一対を乳幼児の観賞用に、他の一対を保護者の確認用に設けている。ここで、画像表示部及び出力端子はコストや軽量化の観点から省いても良い。
【００２７】
図７は、帽部１４を内側から見た時の概観図である。複数の帽部用フレーム５１によって張られた布の内側に４つのポケット５２が設けられ、４つのポケットに画像表示装置５０の四つ角を係合させることで画像表示装置を帽部に取り付けている。画像表示装置表面には画像表示パネル５３、側面には信号線及び電源線を束ねたケーブル５４が取り付けられている。信号線は操作装置７０へ、電源線はバッテリー８０へそれぞれ分岐して繋がっている。
【００２８】
ここで操作装置７０、画面表示装置５０、バッテリー８０、スピーカー６０をそれぞれ結ぶ信号線や電源線等のケーブルは、ベビーカーの背パイプ１２やハンドル１５、座席部８やアームレスト９などの中に通しておくと、外部から見えないため見栄えがよく、またケーブルに誤って引っかかることを防げるので好ましい。また、バッテリー、操作装置、画像表示装置、スピーカー、ケーブル等の電気部品は、樹脂コーティングやパッキンを用いて防水加工を施しておくことが望ましい。また操作装置はカバーを別途備え、不使用時はカバーをかけておくことで雨水等による動作不良の可能性を軽減することができる。
【００２９】
また、帽部用フレーム５１は、図７にあるように、異なる直径を持つ中空のパイプがスライド可能な状態で結合された状態で構成されている。各パイプをスライドして引き伸ばすことにより、図８に示すように帽部をさらに矢印方向に引き出すことができる。このように帽部を前方に引き出すことが可能な構成とすることで、乳幼児から画像表示装置まで一定距離を確保することができるため、より画面が見やすくなる。
【００３０】
以上、本願発明に係わるベビーカーについて説明を行った。上記説明したように、本願発明に係わるベビーカーでは、映像を再生する映像再生手段及び、音楽を再生する音楽再生手段をベビーカーに搭載することで、乳幼児がベビーカーに乗りながら、それらのコンテンツを楽しむことができる。従来では乳幼児にとってベビーカーがただ座らせられるだけの退屈な乗り物だったのに対し、本願発明のベビーカーは刺激を与えてくれる楽しい乗り物になる。
【００３１】
特に、乳幼児にはヘッドフォンやイヤフォンをうまく取り付けることは難しいため、座席部周辺にスピーカーを配することで、音楽を楽しむことができる。ここでスピーカーの配置場所は、座席部や背パイプ、アームレストなどの部分に配線の効率を考えながら適宜変更可能である。
【００３２】
保護者にとっても、乳幼児が映像や音楽のコンテンツに夢中になってくれることで、おとなしくベビーカーに座っていてくれるため、突然泣き出したり、退屈を持て余して暴れだしたりする頻度を減らすことができるため、保護者の外出時におけるストレスを軽減することができる。
【００３３】
現在、ベビーカーは軽量である事が消費者のニーズであると社会通念的に考えられているため、従来のベビーカーに対し、新たに大幅な重量を増大させることは検討事項にあがってこない。特に、バッテリーや画像表示装置、操作装置等のように複数の部材を新たに搭載することは数百グラムから数キログラムの重量増大になるため、現在の数十グラム単位で軽量化を図ることでアドバンテージを得ようとするベビーカー製造の流れからは大きく逆行している。しかしながら、実際のベビーカーの使用状態をよく観察してみると、その使用状態の大部分はベビーカーを転がしながら移動させており、ベビーカーを持ち上げた状態で移動させる割合はごく僅かであることがわかる。
【００３４】
近年では、駅の改札やスーパーのレジなどでもベビーカーをそのまま通過させられるように設計されており、また、エレベータの充実や道路の良好な舗装など、ベビーカーをそのまま移動させられる環境が整っている。このように、その使用の大部分を押しながら移動できる現状では、ベビーカー本体の数キログラム程度までの重量増大は一般に考えられているほどデメリットにはならず、それよりも子供が少しでもおとなしくしていてくれるというメリットの方が実際は遥かに大きい。重量増大を一部犠牲にしながらも、本願発明のベビーカーは大きな効果を有することができる。
【００３５】
また、０歳児から２歳程度までの時期は、乳幼児にとって脳を形成する重要な時期であり、外部から多く刺激を与えて様々なことを学習させることが望ましい。例えば絶対音感の形成等は幼少期に覚えさせる必要があるため、早い段階から音楽に触れさせておくことが重要であるし、乳幼児用の学習教材コンテンツを画像表示装置で流すことも可能となる。また、母親の姿を映した動画を予め記録媒体に保存しておき、この動画を流しておくことで乳幼児の不安を取り除くといった使用方法も可能である。
【００３６】
また、画像表示装置の表面に簡単な入力ボタンを数個配置し、簡単なトレーニングやゲームができるように構成することも効果的である。
【００３７】
ここで画像表示装置及び画像表示部には軽量化やスペース削減の観点から、液晶ディスプレイ（ＬＣＤ）、電子ペーパー（Electric Paper）、有機ＥＬ（ＯＥＬＤ）、フィールドエミッションディスプレイ（ＦＥＤ）、プラズマディスプレイ（ＰＤＰ）、などの薄型パネルを用いるとよい。また、パネルの大きさとしては４型から１２型程度の大きさが帽部に収まる範囲として適切な大きさとなる。但し、パネルの種類や大きさはこれらに限定されるものではない。また、室外で主に使用されることが想定されるため、外部からの衝撃に対応できるよう、可撓性に優れたパネルがより好ましい。
【００３８】
また、画像表示装置や操作装置等には電磁波防止フィルムを用いて、周囲への電磁波の放射を抑える処理を施しておいてもよい。
【００３９】
また、上記説明では画像表示装置とスピーカーを異なる場所に配置するとしたが、これに限定されるものではなく、動画表示装置とスピーカーが一体となったコンテンツ再生装置を帽部の裏側に取り付けても良い。このように構成することにより、映像信号と音声信号の信号線を一対のケーブルで配線することができるため、配線の複雑さやコストが削減できる。
【００４０】
また、上記説明では、フラッシュメモリー等のカードタイプの記録媒体からコンテンツを読み込む例を示したがこれに限るものではなく、ＤＶＤやＣＤ、ＨＤといった媒体からコンテンツを読み込む構成としても良い。ここで、ＤＶＤドライブやＨＤドライブは、カード型の読み取りスロットよりも大きくなってしまうため、これらの読取装置はバッテリーと同様、座席部の裏側や側面、底面といった場所に配置しておいても良い。この場合、映像・音声処理を行う処理部は読み取りドライブと一体に備え付けられていても良い。
【００４１】
また、上記説明ではコンテンツを記録媒体から読み取る例を示したが、これに限定されるものではなく、たとえばワンセグ等の無線放送によるコンテンツを用いる構成であってもよい。この場合、無線信号を受信する受信アンテナ、受信アンテナで受信された信号にダウンコンバートやＡ／Ｄ変換等の受信処理を行う無線受信手段、受信処理した信号に対してＦＦＴ処理、等化処理、誤り訂正復号処理等を行う復号処理手段、復号処理された映像・音声信号にそれぞれ動き補償処理、コーデック処理を行うコンテンツ処理手段を備える無線受信装置が別途必要になる。無線受信装置にはバッテリーから電力が供給され、操作装置からはチャンネル選択、音量調整といった制御信号が入力され、画像表示装置及びスピーカーにそれぞれ映像信号及び音声信号が送信される。また、ワンセグ受信機能を備えた携帯電話等の端末とベビーカーが接続可能な構成として、携帯電話で受信したワンセグ放送を画像表示装置に表示可能な構成としてもよい。
【００４２】
また、バッテリーの充電用として、電源ジャックではなく電源プラグ付の電源コードが備え付けられていてもよい。このように構成することで、電源プラグをコンセントに繋ぐだけでバッテリーの充電が可能であり、利便性が向上する。
【００４３】
バッテリーとしては、リチウムイオン電池のようにエネルギー密度の高い二次電池を使用すると軽量化の観点から有利となる。
【００４４】
また、バッテリーは着脱可能な構成で、充電時はバッテリーを取り外して充電する構成でも良い。このように構成することで給電用の電源ジャックが不要になるため軽量化が可能となる。また、ベビーカーを使わなくなった場合に、バッテリーを他製品に再利用できるため経済的に有利となる。
【００４５】
また、帽部への画像表示装置の取り付けは図７に示した方法に限るものではない。例えば、図９のように、隣り合う帽部用フレーム５１に連結部材５５が取り付けられており、連結部材同士が装着用フレーム５６で結ばれており、装着用フレームに画像表示装置５０が固定されていてもよい。このとき装着用フレームに沿って画像表示装置が上下にスライド可能な構成にしておくと乳幼児の目の高さに画像表示装置を配置しやすくなる。その他、画像表示装置５０が接着剤やボルト等で帽部に直接係止されていてもよい。
【００４６】
また、画像表示装置を設置した部分の帽部には通気穴を設けて、外部へ排熱できるようにしておいてもよい。
【００４７】
また、帽部の内側に装着ポケットや装着フレームといった画像表示装置を装着するための装着部材が備え付けられており、画像表示装置自体は着脱可能としてもよい。近年の世界における平均出生率は２、６９程度あり、ベビーカーを０歳から２歳まで使用するとした場合、合計５〜６年間程度使用される計算になる。一日３時間使用したとしても、５０００〜７０００時間程度の使用となる。実際は、近年の出生率の低下や、ベビーカーに乗っている間で画像表示装置を見る時間は一部であるため、実際の画像表示装置の使用時間は１０００時間程度になると想定される。近年の画像表示パネルは数万時間の耐久性があるが、ベビーカーは使用時期が限られているため、画像表示パネルの寿命と使用可能時間は通常一致しない。そこで、ベビーカー本体には、画像表示装置の四つ角を支持する支持部分又は四辺を支持する支持フレーム等が配置された設置部分を設けておき、画像表示装置自体は着脱可能とし、リサイクルして用いるように構成しておくと経済性の観点から有利である。
【００４８】
また、画像表示装置として耐久時間を数千時間程度に抑えた安価な画像表示パネルを用いるとさらに経済的である。通常画像を表示する画像表示装置は、画像表示装置の寿命が買い替えの時期になるため、テレビはコンピュータのディスプレイに用いられる画像表示パネルの寿命が長いことが重要になるが、ベビーカーに取り付けられる画像表示装置の寿命はベビーカーの使用終了時期となるため、画像表示装置自体はそれほど長い寿命は求められない。従って、有機ＥＬのように、寿命の短さの観点からテレビ等に使用するには要求条件を満たさないパネルであっても需要を作り出すことができる。
【００４９】
また、帽部には、一部ビニール等の透明のシートやメッシュで作られていることで、帽部を展開している時でも、保護者から映像や音楽を鑑賞している乳幼児の姿を確認でき、また乳幼児からも振り返ることで保護者の姿が見えるので不安を減らすことができる。
【００５０】
また、帽部の展開、収納が、日除け、雨除けのケース以外に、映像コンテンツの鑑賞の有無場合にも行われるため、帽部の開閉の頻度が上がるため、図１０のように帽部と背パイプの枢着部分に帽部開閉用ハンドルを別途設け、開閉動作が手軽に行えるようにしておくとよい。帽部開閉用ハンドルの基部には複数の歯が備え付けられており、回転軸周りに帽部開閉用ハンドルを回転させることにより、回転動作が歯車介して帽部に伝わり、帽部を開閉させる。なお、帽部基部に開閉用の小型電動モータを設置し、操作装置７０に帽部開閉ボタンを設けておき、帽部開閉ボタンを押下することで小型伝道モータを回転させ、帽部を開閉するよう構成していてもよい。このようにしておくことで、画像表示装置を配置することにより増加する帽部の開閉作業を少ない労力で行うことができる。
【００５１】
また、帽部１４は背パイプ１２に枢着されている必要はなく、例えば座席部８やハンドル１５に枢着されていてもよいし、座席部や背パイプに引っ掛ける状態で配置されていてもよい。
【００５２】
また、図１１に示すように画像表示装置５０を帽部１４の内側ではなく、別途装着用のアーム９２に取り付けるよう構成してもよい。アーム９２は回動可能な状態で、背パイプ１２または座席部８の側面に枢着されており、多段式に伸縮可能な構成となっている。使用時はアームを回転させて画像表示装置を目の高さに配置するとともに、アームを引き伸ばして画像表示装置から目までの距離を確保する。不使用時は、アームを縮めて、上方に回転させて収納しておく。このように、新たに画像表示装置の装着手段を設けることは重量増加やコストの増加を引き起こすが、一方、帽部を展開しないでも画像表示装置を見ることができるため、外界の様子と映像を同時に楽しむことができる。
【００５３】
また、画像表示装置５０の配置の別の形態として、不使用時は座席部８の側面やアームレスト９の側面に収納できるように構成し、使用時は画像表示装置を座席部８の正面に引き出して使用できる構成であってもよい。この場合、画像表示装置を取り付けたアームは伸縮自由な構成で、画像表示装置の角度を変更可能とする角度調整手段が備え付けられていると好ましい。
【００５４】
また、上記説明では画像表示装置及びスピーカーの両方が備え付けられている例を説明したが、どちらか片方のみ備え付けられている構成でもよい。コンテンツ再生手段をスピーカーだけにすることで、乳幼児に音楽を楽しませつつ、軽量化とバッテリーの節約に繋げることができる。
【００５５】
また、ベビーカー本体は、折り畳み機構や座席部にリクライニング機構を有するベビーカーにも本願発明は適用することが可能である。
【００５６】
また、前輪、後輪を着脱可能とし、別途固定用の足を着けることで、ベビーカーとしての使用期間が終わった後も、部屋の中でコンテンツ観賞用の椅子として再利用可能である。
【００５７】
また、バッテリーをベビーカーに搭載する構成としたことで、この電力供給源を用いて、座席付近や帽部に小型のファン等を配置することもできる。乳幼児の体温は高いため、空調装置を配置することでより快適なベビーカーを提供できる。
【００５８】
また、本体は、ＳＧ基準により定められたＡ型、Ｂ型、ＡＢ共用型のベビーカーや、バギーカーのように、乳幼児や子供を対象とした座席を有するすべての手押し車に本願発明を適用することが可能である。
【００５９】
その他、本願発明はその発明の範囲を逸脱しない限りにおいて適宜設計変更が可能である。
【００６０】
このように、ベビーカーに動画や音楽といったコンテンツを再生する手段を有することで、乳幼児がくつろぎ、楽しめる空間を提供するとともに、保護者である大人がコンテンツを選択・再生・停止等の操作、制御を行うための操作手段を、ハンドル部分や、ベビーカーの背面といったベビーカーを押している時に操作できる場所に設けておくことで保護者が乳幼児の状態に合わせてうまくコントロールすることができる。
【産業上の利用可能性】
【００６１】
本発明にかかるベビーカーは、付加価値を向上させたベビーカーとして広く利用可能である。
【図面の簡単な説明】
【００６２】
【図１】本発明に係るベビーカーの概観図
【図２】本発明に係るベビーカーの側面図
【図３】本発明に係るベビーカーの側面図
【図４】本発明に係るベビーカーの背面図
【図５】本発明に係るベビーカーに設置された操作装置の概観図
【図６】本発明に係るベビーカーに設置された各装置の関係を表すブロック図
【図７】本発明に係るベビーカーに設置された帽部の内側の概観図
【図８】本発明に係るベビーカーの側面図
【図９】本発明に係るベビーカーに設置された帽部の内側の概観図
【図１０】本発明に係るベビーカーの一部の側面図
【図１１】本発明に係るベビーカーの側面図
【符号の説明】
【００６３】
１、２  連結部材
３  前脚
４  後脚
５  前輪
６  後輪
７  連結部材
８  座席部
９  アームレスト
１０  ガード部材
１１  シートベルト
１２  背パイプ
１３  ブラケット
１４  帽部
１５  ハンドル
１６  枢軸
５０  画像表示装置
５１  帽用フレーム
５２  ポケット
５３  画像表示パネル
５４  ケーブル
５５  連結部材
５６  装着用フレーム
６０  スピーカー
７０  操作装置
７１  画像表示部
７２  操作部
７３  電源ボタン
７４  音量ボタン
７５  選択・決定ボタン
７６  切り替えボタン
７７  カードスロット
７８  イジェクトボタン
７９  出力端子
８０  バッテリー
８１  電源ジャック
９１  開閉用ハンドル
９２  アーム
１００、２００  ベビーカー
【図１】
2008308053.tif 000003
【図２】
2008308053.tif 000004
【図３】
2008308053.tif 000005
【図４】
2008308053.tif 000006
【図５】
2008308053.tif 000007
【図６】
2008308053.tif 000008
【図７】
2008308053.tif 000009
【図８】
2008308053.tif 000010
【図９】
2008308053.tif 000011
【図１０】
2008308053.tif 000012
【図１１】
2008308053.tif 000013